(57)【要約】【課題】製造を容易に行い、材料及び製造コストの低減を図ることができる回転工具用カプラーを提供する。【解決手段】ベース部２２の外周縁に対し、ロックナット１５の多数の係合凹部１５ｂのうち四つの係合凹部１５ｂに係止される四つの係止部２３をベース部２２と直交するように一体に成形する。このベース部２２の上面中央部にＪＩＳ規格の六角ナット２４を溶接部２５により連結する。前記ナット２４にトルクレンチの先端部を係合して、ナット２４を回動できるようにする。板材を用いてベース部２２及び係止部２３を容易に打ち抜き成形することができるとともに、安価な六角ナット２４を連結したので、製造及び材料コストを低減することができる。【選択図】図１
2008246647.tif 000002
【特許請求の範囲】
【請求項１】
金属製の板材よりなるベース部の外周縁に対し、非規格品のナットに係止可能な係止部を一体に折り曲げ形成し、前記ベース部の中央部に対し前記係止部と反対側に位置するように、かつ回転工具を適用可能な規格品の角形ナットを連結したことを特徴とする回転工具用カプラー。
【請求項２】
請求項１において、前記係止部は複数箇所に設けられていることを特徴とする回転工具用カプラー。
【請求項３】
請求項２において、前記係止部はベース部の周方向に等ピッチで設けられていることを特徴とする回転工具用カプラー。      
【請求項４】
請求項２において、前記各係止部はベース部の中心に関して点対称に設けられていることを特徴とする回転工具用カプラー。
【請求項５】
請求項１〜４のいずれか一項において、前記ベース部には前記角形ナットの位置を決めるための位置決め凹部又は位置決め孔が形成されていることを特徴とする回転工具用カプラー。
【請求項６】
請求項１〜５のいずれか一項において、前記角形ナットはベース部に対し溶接部により連結されている六角ナットであることを特徴とする回転工具用カプラー。
【請求項７】
請求項１〜６のいずれか一項において、前記角形ナットには、ネジ孔が形成され、このネジ孔には規格品のボルトが螺合されるようになっていることを特徴とする回転工具用カプラー。
【発明の詳細な説明】
【技術分野】
【０００１】
本発明は、回転工具用カプラーに係り、詳しくはＪＩＳ規格あるいはＩＳＯ規格外の非規格品の異形ナットを回転させるための回転工具用カプラーに関する。
【背景技術】
【０００２】
工作機械やその他の安全を必要とする各種の機械には、起動スイッチが二箇所に離隔して設けられている。この二つの起動スイッチが同時に作業者の両手により操作された場合に工作機械が起動されるようになっている。図１０に示すように起動スイッチ１１は、スイッチ本体１２と、このスイッチ本体１２の下面に下方に突出されたコネクタ１３とにより構成されている。そして、前記コネクタ１３を操作パネル１４に形成された取付孔１４ａから下方に突出させて、コネクタ１３の外周面に形成された雄ねじ部１３ａに非規格品のロックナット１５のネジ孔１５ａを螺合し、このロックナット１５を手作業で回動して操作パネル１４の下面に締め付けることにより操作パネル１４に起動スイッチ１１が取り付けられるようになっている。そして、前記コネクタ１３に対し二点鎖線で示すように外部コネクタ１３´が接続され、加工装置側との電気的接続を図るようにしている。
【０００３】
上記のロックナット１５は手作業により操作パネル１４に締め付けられるので、作業者によって締め付けトルクが変わり、締付トルクを適正に管理し、起動スイッチ１１の取付状態を適正に保持することが難しいという問題がある。
【０００４】
上記の問題を解消するため、図１１に示すように工作機械を用いて専用に切削加工された回転工具用カプラー１６が用いられている。この回転工具用カプラー１６はキャップ状のカプラー本体１６ａの内周面に対し、前記ロックナット１５の外周面に形成された多数の係合凹部１５ｂのうち例えば四つの係合凹部１５ｂに係合される四つの係合突部１６ｂを形成するとともに、カプラー本体１６ａの上面中央部にボス部１６ｃを一体に形成し、このボス部１６ｃの中央部に六角レンチの先端を係合可能な係合孔１６ｄを形成している。
【０００５】
一方、特許文献１には、図１２に示すような非規格品のネジ孔１７ａを有する異形ナット１７を回転用工具により回転するための回転工具用カプラー１８が提案されている。この回転工具用カプラー１８は、回転盤１９の下面に対し前記異形ナット１７に形成された複数の係合孔１７ｂに係合される複数の突部１９ａを連結し、回転盤１９の上面に六角柱状の取付部１９ｂを連結し、この取付部１９ｂにスパナあるいは六角レンチの先端部が係合されるように構成されている。
【特許文献１】実用新案登録第３０１４８６８号公報
【発明の開示】
【発明が解決しようとする課題】
【０００６】
ところが、図１１に示す回転工具用カプラー１６は、機械によりカプラー本体１６ａに対し係合突部１６ｂ及び係合孔１６ｄを切削加工するので、製造が非常に面倒で、コストの低減を図ることができないという問題があった。
【０００７】
又、図１２に示す回転工具用カプラー１８は、回転盤１９に突部１９ａを取り付ける構成のため、製造が非常に面倒で、コストの低減を図ることができないという問題があった。
【０００８】
本発明は、製造を容易に行い、コストの低減を図ることができる回転工具用カプラーを提供することにある。
【課題を解決するための手段】
【０００９】
上記問題点を解決するために、請求項１に記載の発明は、金属製の板材よりなるベース部の外周縁に対し、非規格品のナットに係止可能な係止部を一体に折り曲げ形成し、前記ベース部の中央部に対し前記係止部と反対側に位置するように、かつ回転工具を適用可能な規格品の角形ナットを連結したことを要旨とする。
【００１０】
請求項２に記載の発明は、請求項１において、前記係止部は複数箇所に設けられていることを要旨とする。
請求項３に記載の発明は、請求項２において、前記係止部はベース部の周方向に等ピッチで設けられていることを要旨とする。
【００１１】
請求項４に記載の発明は、請求項２において、前記各係止部はベース部の中心に関して点対称に設けられていることを要旨とする。
請求項５に記載の発明は、請求項１〜４のいずれか一項において、前記ベース部には前記角形ナットの位置を決めるための位置決め凹部又は位置決め孔が形成されていることを要旨とする。
【００１２】
請求項６に記載の発明は、請求項１〜５のいずれか一項において、前記角形ナットはベース部に対し溶接部により連結されている六角ナットであることを要旨とする。
請求項７に記載の発明は、請求項１〜６のいずれか一項において、前記角形ナットには、ネジ孔が形成され、このネジ孔には規格品のボルトが螺合されるようになっていることを要旨とする。
【００１３】
（作用）
本発明は打ち抜き成形装置により金属製の板材からベース部と係止部を一体に容易に打ち抜き成形することができる。又、ベース部に規格品の安価な角形ナットを例えば溶接により連結するので、材料及び製造コストを低減することができる。
【発明の効果】
【００１４】
本発明によれば、製造を容易に行い、材料及び製造コストの低減を図ることができる。
【発明を実施するための最良の形態】
【００１５】
以下、本発明を図１０及び図１１で述べた起動スイッチ１１のロックナット１５の回転工具用カプラー２１として具体化した一実施形態を図１〜図４にしたがって説明する。
図１に示すように、この回転工具用カプラー２１は、円板状のベース部２２と、このベース部２２の外周縁に一体に下方に折り曲げ形成した複数の舌片状の係止部２３と、前記ベース部２２の上面中央部に溶接部２５により連結したＪＩＳ規格（Ｂ１１８１）の六角ナット２４とにより構成されている。前記各係止部２３はベース部２２の円周方向に等ピッチで４箇所に形成されている。各係止部２３は背景技術で述べた図１に示す起動スイッチの異形ナットとしてのロックナット１５の外周面に形成された多数の係合凹部１５ｂのうちの四つの係合凹部１５ｂに係合されるように形成されている。
【００１６】
次に、図３，４に基づいて前記のように構成した回転工具用カプラー２１の製造方法について説明する。
図３に示すように、図示しない打ち抜き成形装置により例えば鋼材等の金属よりなる扁平状の板材を打ち抜いてベース部２２と四つの係止部２３とよりなる扁平状の素材２１Ａを成形する。その後、図示しないプレス装置により素材２１Ａのベース部２２の外周に形成された各係止部２３を該ベース部２２と直交する方向に互いに平行に折り曲げ成形する。最後に、図１に示すように前記ベース部２２の上面中央部にＪＩＳ規格の前記六角ナット２４を溶接部２５により連結して回転工具用カプラー２１を製造する。
【００１７】
次に、前記のように構成された回転工具用カプラー２１の使用方法について説明する。
図２に示すように、ロックナット１５の四つの係合凹部１５ｂに回転工具用カプラー２１の四つの係止部２３を係合した状態で、前記ナット２４に図示しないトルクレンチの先端部を嵌合して、該トルクレンチによりナット２４を螺進方向に回転すると、ロックナット１５が操作パネル１４（図１０参照）に締め付けられ、スイッチ本体１２（図１０参照）が操作パネル１４に締め付け固定される。このロックナット１５の締め付けトルクが所定トルクになると、トルクレンチによるそれ以上のロックナット１５の回動が不能になり、ロックナット１５の締付けトルクが適正トルクに設定される。なお、前記トルクレンチを用いないで、スパナや六角孔付きレンチを用いて六角ナット２４を回動してもよい。この場合には、前記ロックナット１５を直接手動で回動するのと比較して、回動トルクの付与を容易に行うことができる。
【００１８】
上記実施形態の回転工具用カプラー２１によれば、以下のような効果を得ることができる。
（１）上記実施形態では、板材から打ち抜き成形装置によりベース部２２及び係止部２３よりなる素材２１Ａを形成し、プレス装置によりベース部２２に対し係止部２３を直交するように成形し、ベース部２２の上面にＪＩＳ規格の六角ナット２４を溶接部２５により連結した。このため、回転工具用カプラー２１の製造を従来のカプラー１６，１８と比較して容易に行い、製造コストの低減を図ることができる。
【００１９】
（２）上記実施形態では、板材によりベース部２２及び係止部２３を形成するとともに、ＪＩＳ規格の六角ナット２４を用いたので、材料コストを低減することができる。
なお、上記実施形態は以下のように変更してもよい。
【００２０】
・図５に示すように、ベース部２２の上面中央部にナット２４の一部が係合される平面視六角形状の位置決め孔２２ａ又は位置決め凹部を形成してもよい。この場合にはベース部２２にナット２４を溶接する際に、ベース部２２に対するナット２４の位置決めを容易に行うことができる。
【００２１】
・図６（ａ）に示すようにネジ孔３１ａを有し、外周に突部３１ｂを一体に二箇所に形成した非規格品の異形ナット３１の回転工具用カプラー２１に具体化してもよい。このカプラー２１のベース部２２には、係止部２３が前記両突部３１ｂをそれぞれ係合可能に四箇所に形成されている。
【００２２】
・図６（ｂ）に示すようにネジ孔３２ａを有し、外周に平面部３２ｂを平行に形成した非規格品の異形ナット３２の回転工具用カプラー２１に具体化してもよい。このカプラー２１のベース部２２には、係止部２３が前記両平面部３２ｂにそれぞれ接触可能に二箇所に形成されている。
【００２３】
・図６（ｃ）に示すようにネジ孔３３ａを有し、外周に平面部３３ｂを六角形状に形成した非規格品の異形ナット３１の回転工具用カプラー２１に具体化してもよい。このカプラーのベース部２２には、係止部２３が六つの平面部３２ｂにそれぞれ接触可能に六箇所に形成されている。
【００２４】
・図６（ｄ）に示すようにネジ孔３４ａを有し、上面に係止孔３４ｂを形成した異形ナット３４の回転工具用カプラー２１に具体化してもよい。このカプラー２１の記ベース部２２には、係止部２３が四つの係止孔３４ｂに挿入可能に四箇所に形成されている。
【００２５】
・図７に示すように、前記ＩＳＯ規格の六角ナット２４のネジ孔２４ａに対し、頭部３５ａに六角トルクレンチを係合可能なＩＳＯ規格の六角穴３５ｂを設けたボルト３５を螺合するようにしてもよい。又、前記ボルト３５に代えて、頭部３５ａの外周を六角形としたＩＳＯ規格のボルトを螺合してもよい。これらの場合には前記六角ナット２４からさらに軸方向に離れた位置において回転工具用カプラー２１をトルクレンチにより回動することができるという利点がある。
【００２６】
・図８に示すように、ベース部２２の外周に前記異形ナット３４のネジ孔３４ａに係止される一本の係止部２３を形成するとともに、異形ナット３４の外周面に接触される位置規制部３６を一体に形成してもよい。
【００２７】
・図９に示すように、前記各係止部２３をそれぞれ長くしてもよい。
。図９に示すように、前記六角ナット２４に代えて、ＪＩＳ規格（Ｂ１１８３）の袋状の六角ナット２４を用いてもよい。さらに、ＪＩＳ規格（Ｂ１１６３）の四角ナットを用いたり、ＪＩＳ規格（Ｂ１１９０）のフランジ付き六角長ナットを用いたり、ＪＩＳ規格（Ｂ１１７０）の溝付六角ナットを用いたりしてもよい。
【００２８】
・前記六角ナット２４として、ＪＩＳ規格（Ｂ１１８１）の六角ナットのサイズＭ８〜Ｍ３６のいずれか一つを用いてもよい。その他、ＪＩＳ規格あるいはそれ以外のＩＳＯ規格の四角ナットあるいは六角ナットを用いてもよい。
【００２９】
・前記係止部２３を三箇所にしたり、５箇所以上にしたりしてもよい。
・前記係止部２３をベース部２２及び六角ナット２４の中心に関して点対称となるように偶数箇所に設けてもよい。
【００３０】
・前記ベース部２２に対する六角ナット２４の連結を摩擦圧接により行ったり、接着剤により連結したりしてもよい。接着剤を用いる場合には、ベース部２２に六角ナット２４を係合する六角形の係合凹所を設ける。
【００３１】
・起動スイッチ１１のロックナット以外の各種製品をロックするための非規格品の異形ナットを回動する回転工具用カプラー２１に具体してもよい。
【図面の簡単な説明】
【００３２】
【図１】この発明を具体化した回転工具用カプラー及び起動スイッチのロックナットの斜視図。
【図２】ロックナットの係合凹部に回転工具用カプラーの係止部を係合した状態を示す斜視図。
【図３】回転工具用カプラーのベース部及び係止部の素材を示す斜視図。
【図４】ベース部及び係止部を示す斜視図。
【図５】この発明の別の実施形態を示すベース部及び係止部の斜視図。
【図６】（ａ）〜（ｄ）は、それぞれこの発明の別の実施形態を示す非規格品のロックナット及び回転工具用カプラーの斜視図。
【図７】この発明の別の実施形態を示す回転工具用カプラーの斜視図。
【図８】この発明の別の実施形態を示す回転工具用カプラーの斜視図。
【図９】この発明の別の実施形態を示す回転工具用カプラーの斜視図。
【図１０】操作パネルに起動スイッチを取り付けた状態を示す断面図。
【図１１】非規格品の異形ナット及び従来の回転工具用カプラーの斜視図。
【図１２】非規格品の異形ナット及び従来の回転工具用カプラーの斜視図。
【符号の説明】
【００３３】
２２…ベース部、２２ａ…位置決め孔、２３…係止部、２４…六角ナット、２４ａ…ネジ孔、２５…溶接部、３５…ボルト。
【図１】
2008246647.tif 000003
【図２】
2008246647.tif 000004
【図３】
2008246647.tif 000005
【図４】
2008246647.tif 000006
【図５】
2008246647.tif 000007
【図６】
2008246647.tif 000008
【図７】
2008246647.tif 000009
【図８】
2008246647.tif 000010
【図９】
2008246647.tif 000011
【図１０】
2008246647.tif 000012
【図１１】
2008246647.tif 000013
【図１２】
2008246647.tif 000014